(57)【要約】【課題】情報を所望するユーザの身近に位置する情報であって他のユーザにおいて注目されている情報を提供すること、及び、それに基づいてネットワークサービス上のユーザ同士のコミュニケーションを活性化させることが可能なサーバ装置等を提供する。【解決手段】情報提供サーバ装置３０は、所与のタイミングにて、評価情報及び評価位置情報、更には、評価ユーザの属性（性別、年齢等）に基づいて各コンテンツデータに対するユーザの注目度を示す注目度情報を算出するとともに、当該注目度情報に基づいて注目情報を決定し、決定した注目情報を該当するユーザの通信端末装置１０に配信するように構成されている。【選択図】図１
2014038519.tif 000002
【特許請求の範囲】
【請求項１】
ネットワークを介して接続された通信端末装置に対して所定の情報を提供するサーバ装置であって、
前記通信端末装置から、コンテンツと、当該コンテンツに関係する位置を示すコンテンツ位置情報と、を含むコンテンツデータを取得するコンテンツデータ取得手段と、
前記取得した各コンテンツデータをデータベースに登録させるデータベース管理手段と、
前記通信端末装置から、前記登録されたコンテンツに対する当該コンテンツの投稿者以外の他のユーザによって提供された当該コンテンツに対するコメントに関するコメント関連情報を取得するコメント関連情報取得手段と、
該当するコンテンツにおける前記取得されたコメント関連情報に基づいて、前記コンテンツに対する前記ネットワーク内のユーザの注目度を示す注目度情報を算出する注目度情報算出手段と、
前記通信端末装置から、前記ネットワーク内のユーザ間で注目されている注目情報の取得を所望するユーザからの取得要求を、当該ユーザの現在位置とともに受信する受信手段と、
前記受信された取得要求をしたユーザの現在位置から所定の距離範囲に対応する前記コンテンツを、前記データベースに登録された各コンテンツデータの前記コンテンツ位置情報に基づいて検出する検出手段と、 
前記算出した注目度情報に基づいて、前記検出されたコンテンツデータの中から所定の条件を満たす前記コンテンツを特定する特定手段と、
前記特定されたコンテンツ又は当該コンテンツに関する情報を注目情報として該当する通信端末装置に提供する提供手段と、
を備えることを特徴とするサーバ装置。
【請求項２】
請求項１に記載のサーバ装置において、
前記コンテンツ関連情報には、前記該当するコンテンツにおける、前記他のユーザの評価を示す評価情報、当該他のユーザが評価を行った位置を示す評価位置情報、及び、前記他のユーザの属性情報の少なくとも何れか一方の情報が含まれる、サーバ装置。 
【請求項３】
請求項２に記載のサーバ装置において、 
前記注目度情報算出手段が、前記注目度情報として、前記コンテンツ位置情報及び前記該当するコンテンツの前記評価位置情報に基づいて、前記コンテンツに関する位置と前記他のユーザによるコメント関連情報が提供された位置と間の距離の隣接度合いを示す局所度情報を算出する、サーバ装置。
【請求項４】
請求項３に記載のサーバ装置において、
前記注目度情報算出手段が、前記コンテンツ位置情報によって示される位置から前記評価位置情報によって示される位置までの距離の逆数を前記局所度情報として算出する、サーバ装置。
【請求項５】
請求項２〜４のいずれか１項に記載のサーバ装置において、
前記注目度情報算出手段が、前記注目度情報として、前記コンテンツデータに対応する前記評価情報の投稿数、及び、当該評価情報の投稿数の増減の少なくとも何れか一方に基づいて、前記ネットワーク内での話題となっている度合いを示す活性化度情報を算出する、サーバ装置。
【請求項６】
請求項５に記載のサーバ装置において、
前記注目度情報算出手段が、所定の単位時間当たりの前記コンテンツデータに対応する前記評価情報の投稿数、及び、当該評価情報の投稿数の増減の少なくとも何れか一方に基づいて、前記活性化度を算出する、サーバ装置。
【請求項７】
請求項２〜６のいずれか１項に記載のサーバ装置において、
前記注目度算出手段が、前記注目度情報として、前記ユーザ属性情報に基づいて、前記コンテンツデータに対する評価をした前記他のユーザの属性のバラツキを数値化した雑多度情報を算出する、サーバ装置。
【請求項８】
請求項７に記載のサーバ装置において、
前記ユーザ属性には、前記他のユーザの人数、性別、及び、年齢層の少なくとも何れか一方含む、サーバ装置。
【請求項９】
請求項２〜８のいずれか１項に記載のサーバ装置において、
前記取得されたユーザの現在位置から所定の距離範囲に対応する前記コンテンツデータを前記コンテンツ位置情報に基づいて検出する検出手段を更に備え、
前記特定手段が、前記算出した注目度情報に基づいて、前記検出されたコンテンツデータの中から所定の条件を満たす前記コンテンツデータを特定する、サーバ装置。
【請求項１０】
ネットワークを介して接続された通信端末装置に対して所定の情報を提供するサーバ装置を、
前記通信端末装置から、コンテンツと、当該コンテンツに関係する位置を示すコンテンツ位置情報と、を含むコンテンツデータを取得するコンテンツデータ取得手段、
前記取得した各コンテンツデータをデータベースに登録させるデータベース管理手段、
前記通信端末装置から、前記登録されたコンテンツに対する当該コンテンツの投稿者以外の他のユーザによって提供された当該コンテンツに対するコメントに関するコメント関連情報を取得するコメント関連情報取得手段、
該当するコンテンツにおける前記取得されたコメント関連情報に基づいて、前記コンテンツに対する前記ネットワーク内のユーザの注目度を示す注目度情報を算出する注目度情報算出手段、
前記通信端末装置から、前記ネットワーク内のユーザ間で注目されている注目情報の取得を所望するユーザからの取得要求を、当該ユーザの現在位置とともに受信する受信手段、
前記受信された取得要求をしたユーザの現在位置から所定の距離範囲に対応する前記コンテンツを、前記データベースに登録された各コンテンツデータの前記コンテンツ位置情報に基づいて検出する検出手段、
前記算出した注目度情報に基づいて、前記検出されたコンテンツデータの中から所定の条件を満たす前記コンテンツを特定する特定手段、及び、
前記特定されたコンテンツ又は当該コンテンツに関する情報を注目情報として該当する通信端末装置に提供する提供手段、
として機能させることを特徴とするプログラム。
【請求項１１】
通信端末装置と、
前記通信端末装置とネットワークを介して接続され、所定の情報を提供するサーバ装置と、
を備え、
前記サーバ装置が、
前記通信端末装置から、コンテンツと、当該コンテンツに関係する位置を示すコンテンツ位置情報と、を含むコンテンツデータを取得するコンテンツデータ取得手段と、
前記取得した各コンテンツデータをデータベースに登録させるデータベース管理手段と、
前記通信端末装置から、前記登録されたコンテンツに対する当該コンテンツの投稿者以外の他のユーザによって提供された当該コンテンツに対するコメントに関するコメント関連情報を取得するコメント関連情報取得手段と、
該当するコンテンツにおける前記取得されたコメント関連情報に基づいて、前記コンテンツに対する前記ネットワーク内のユーザの注目度を示す注目度情報を算出する注目度情報算出手段 と、
前記通信端末装置から、前記ネットワーク内のユーザ間で注目されている注目情報の取得を所望するユーザからの取得要求を、当該ユーザの現在位置とともに受信する受信手段と、
前記受信された取得要求をしたユーザの現在位置から所定の距離範囲に対応する前記コンテンツを、前記データベースに登録された各コンテンツデータの前記コンテンツ位置情報に基づいて検出する検出手段と、
前記算出した注目度情報に基づいて、前記検出されたコンテンツデータの中から所定の条件を満たす前記コンテンツを特定する特定手段と、
前記特定されたコンテンツ又は当該コンテンツに関する情報を注目情報として該当する通信端末装置に提供する提供手段と、
を備えることを特徴とする通信システム。
【発明の詳細な説明】
【技術分野】
【０００１】
本発明は、ネットワーク上に構築された仮想空間において有益な情報及びそれに基づくネットワークサービスを提供するサーバ装置、プログラム及び通信システムに関する。
【背景技術】
【０００２】
近年、ＷＷＷ（Ｗｏｒｌｄ  Ｗｉｄｅ  Ｗｅｂ）などのネットワーク技術の発展、及び、スマートフォンなどに代表される携帯型情報通信端末装置の進歩に伴い、ソーシャルネットワーキングサービス（以下、「ＳＮＳ」と略称する。）が広く普及し、利用者（以下、「ユーザ」という。）の数も年々増加している。特に、最近では、ＧＰＳ（Ｇｌｏｂａｌ  Ｐｏｓｉｔｉｏｎｉｎｇ  Ｓｙｓｔｅｍ）などの現在位置を認識する機能と連動させてユーザの現在位置に基づいて、種々のサービスを提供することも一般化している。
【０００３】
例えば、このようなサービスを用いた情報配信システムとしては、ユーザの現在位置と、予め登録されたユーザの興味の度合いと、に基づいて、該当する情報を当該ユーザに提供するものが知られている（例えば、特許文献１）。
【先行技術文献】
【特許文献】
【０００４】
【特許文献１】特開平１１−３５５８３６号公報
【発明の概要】
【発明が解決しようとする課題】
【０００５】
しかしながら、上記特許文献１に開示されたシステムにあっては、ユーザの現在位置に関連づけつつ、予め登録されたユーザの興味度合いに基づいて該当する情報を提供しているため、当該提供される情報には既に時間が経過した古い情報、又は、興味を抱く他のユーザが少ないなど他のユーザ間において注目されていない情報も含まれる。
【０００６】
本発明は、上記課題を解決するためになされたものであり、その目的は、情報を所望するユーザの身近に位置する情報であって他のユーザにおいて注目されている情報を提供すること、及び、それに基づいてネットワークサービス上のユーザ同士のコミュニケーションを活性化させることが可能なサーバ装置等を提供することにある。
【課題を解決するための手段】
【０００７】
（１）上述した課題を解決するため、本発明に係るサーバ装置は、ネットワークを介して接続された通信端末装置に対して所定の情報を提供するサーバ装置であって、前記通信端末装置から、コンテンツと、当該コンテンツに関係する位置を示すコンテンツ位置情報と、を含むコンテンツデータを取得するコンテンツデータ取得手段と、前記取得した各コンテンツデータをデータベースに登録させるデータベース管理手段と、前記通信端末装置から、前記登録されたコンテンツに対する当該コンテンツの投稿者以外の他のユーザによって提供された当該コンテンツに対するコメントに関するコメント関連情報を取得するコメント関連情報取得手段と、該当するコンテンツにおける前記取得されたコメント関連情報に基づいて、前記コンテンツに対する前記ネットワーク内のユーザの注目度を示す注目度情報を算出する注目度情報算出手段と、前記通信端末装置から、前記ネットワーク内のユーザ間で注目されている注目情報の取得を所望するユーザからの取得要求を、当該ユーザの現在位置とともに受信する受信手段と、前記受信された取得要求をしたユーザの現在位置から所定の距離範囲に対応する前記コンテンツを、前記データベースに登録された各コンテンツデータの前記コンテンツ位置情報に基づいて検出する検出手段と、 前記算出した注目度情報に基づいて、前記検出されたコンテンツデータの中から所定の条件を満たす前記コンテンツを特定する特定手段と、前記特定されたコンテンツ又は当該コンテンツに関する情報を注目情報として該当する通信端末装置に提供する提供手段と、を備える構成を有している。
【０００８】
この構成より、本発明に係るサーバ装置は、所与の情報の取得を所望するユーザの現在位置の周辺において投稿されたコンテンツを抽出しつつ、抽出された各コンテンツ中から、注目度に基づいて、ネットワーク内のユーザによって注目されているコンテンツを注目情報として提供することができるので、情報を所望するユーザの身近に位置する情報であって他のユーザにおいて注目されている情報を提供すること、及び、それに基づいてネットワークサービス上のユーザ同士のコミュニケーションを活性化させることができる。
【０００９】
（２）また、本発明に係るサーバ装置は、前記コンテンツ関連情報には、前記該当するコンテンツにおける、前記他のユーザの評価を示す評価情報、当該他のユーザが評価を行った位置を示す評価位置情報、及び、前記他のユーザの属性情報の少なくとも何れか一方の情報が含まれる、構成を有している。
【００１０】
この構成により、本発明に係るサーバ装置は、例えば、他のユーザによるコメント関連情報が提供された位置に基づいて、当該位置とコンテンツに関する位置と間の距離の隣接度合いを示す局所度を注目度として算出すること、評価情報の所定期間の数を算出することによって、コンテンツに対応する評価情報の投稿数、又は、当該評価情報の投稿数の増減を示す話題度を注目度として算出すること、又は、他のユーザの属性情報に基づいて、コンテンツに対する評価をした他のユーザの属性のバラツキを数値化した雑多度情報を注目度として算出することができるので、種々の角度から他のユーザにおいて注目されている情報を所望するユーザに提供することができる。
【００１１】
（３）また、本発明に係るサーバ装置は、前記注目度情報算出手段が、前記注目度情報として、前記コンテンツ位置情報及び前記該当するコンテンツの前記評価位置情報に基づいて、前記コンテンツに関する位置と前記他のユーザによるコメント関連情報が提供された位置と間の距離の隣接度合いを示す局所度情報を算出する、構成を有している。
【００１２】
この構成により、本発明に係るサーバ装置は、他のユーザによるコメント関連情報が提供された位置に基づいて、局所度を注目度として算出することができるので、コンテンツに対応する物や場所に関する知識が豊富なユーザによって評価されたコンテンツを、注目情報として提供することができる。
【００１３】
したがって、本発明に係るサーバ装置は、情報を所望するユーザにおいて、当該ユーザの身近に存在し、かつ、有用な情報を的確に提供することができる。
【００１４】
（４）また、本発明に係るサーバ装置は、前記注目度情報算出手段が、前記コンテンツ位置情報によって示される位置から前記評価位置情報によって示される位置までの距離の逆数を前記局所度情報として算出する、構成を有している。 
【００１５】
この構成により、本発明に係るサーバ装置は、簡易、かつ、正確に局所度情報を算出することができる。
【００１６】
（５）また、本発明に係るサーバ装置は、前記注目度情報算出手段が、前記注目度情報として、前記コンテンツデータに対応する前記評価情報の投稿数、及び、当該評価情報の投稿数の増減の少なくとも何れか一方に基づいて、前記ネットワーク内での話題となっている度合いを示す活性化度情報を算出する、構成を有している。 
【００１７】
この構成により、本発明に係るサーバ装置は、評価情報の所定期間の数を算出することによって話題度を注目度として算出することができるので、話題性の高い有用なコンテンツを所望するユーザに的確に提供することができる。
【００１８】
（６）また、本発明に係るサーバ装置は、前記注目度情報算出手段が、所定の単位時間当たりの前記コンテンツデータに対応する前記評価情報の投稿数、及び、当該評価情報の投稿数の増減の少なくとも何れか一方に基づいて、前記活性化度を算出する、構成を有している。
【００１９】
この構成により、本発明に係るサーバ装置は、単位時間以前の古い情報を利用せずに、時間的に最近投稿された情報のみに基づいて、最近注目されている情報を提供することができるので、古い情報より情報的な価値が高い有用なコンテンツを所望するユーザに的確に提供することができる。
【００２０】
（７）また、本発明に係るサーバ装置は、前記注目度算出手段が、前記注目度情報として、前記ユーザ属性情報に基づいて、前記コンテンツデータに対する評価をした前記他のユーザの属性のバラツキを数値化した雑多度情報を算出する、構成を有している。
【００２１】
この構成により、本発明に係るサーバ装置は、他のユーザの属性情報に基づいて、雑多度情報を注目度として算出することができるので、例えば、幅広い属性のユーザによって評価される有用な情報を、提供することができる。
【００２２】
したがって、本発明に係るサーバ装置は、幅広いユーザによって興味を有する有用なコンテンツを所望するユーザに的確に提供することができる。
【００２３】
（８）また本発明に係るサーバ装置は、前記ユーザ属性には、前記他のユーザの人数、性別、及び、年齢層の少なくとも何れか一方含む、構成を有している。
【００２４】
この構成により、本発明に係るサーバ装置は、幅広い他のユーザによって興味を有するコンテンツをより的確に特定することができる。
【００２５】
（９）また本発明に係るサーバ装置は、前記取得されたユーザの現在位置から所定の距離範囲に対応する前記コンテンツデータを前記コンテンツ位置情報に基づいて検出する検出手段を更に備え、前記特定手段が、前記算出した注目度情報に基づいて、前記検出されたコンテンツデータの中から所定の条件を満たす前記コンテンツデータを特定する、構成を有している。
【００２６】
この構成により、本発明に係るサーバ装置は、コンテンツの取得を所望するユーザにとって身近なコンテンツを的確に提供することができる。
【００２７】
（１０）また、本発明に係るプログラムは、ネットワークを介して接続された通信端末装置に対して所定の情報を提供するサーバ装置を、前記通信端末装置から、コンテンツと、当該コンテンツに関係する位置を示すコンテンツ位置情報と、を含むコンテンツデータを取得するコンテンツデータ取得手段、前記取得した各コンテンツデータをデータベースに登録させるデータベース管理手段、前記通信端末装置から、前記登録されたコンテンツに対する当該コンテンツの投稿者以外の他のユーザによって提供された当該コンテンツに対するコメントに関するコメント関連情報を取得するコメント関連情報取得手段、該当するコンテンツにおける前記取得されたコメント関連情報に基づいて、前記コンテンツに対する前記ネットワーク内のユーザの注目度を示す注目度情報を算出する注目度情報算出手段、前記通信端末装置から、前記ネットワーク内のユーザ間で注目されている注目情報の取得を所望するユーザからの取得要求を、当該ユーザの現在位置とともに受信する受信手段、前記受信された取得要求をしたユーザの現在位置から所定の距離範囲に対応する前記コンテンツを、前記データベースに登録された各コンテンツデータの前記コンテンツ位置情報に基づいて検出する検出手段、 前記算出した注目度情報に基づいて、前記検出されたコンテンツデータの中から所定の条件を満たす前記コンテンツを特定する特定手段、及び、前記特定されたコンテンツ又は当該コンテンツに関する情報を注目情報として該当する通信端末装置に提供する提供手段、として機能させる、構成を有している。
【００２８】
この構成より、本発明に係るプログラムは、所与の情報の取得を所望するユーザの現在位置の周辺において投稿されたコンテンツを抽出しつつ、抽出された各コンテンツ中から、注目度に基づいて、ネットワーク内のユーザによって注目されているコンテンツを注目情報として提供することができるので、情報を所望するユーザの身近に位置する情報であって他のユーザにおいて注目されている情報を提供すること、及び、それに基づいてネットワークサービス上のユーザ同士のコミュニケーションを活性化させることができる。
【００２９】
（１１）また、本発明に係る通信システムは、通信端末装置と、前記通信端末装置とネットワークを介して接続され、所定の情報を提供するサーバ装置と、を有する通信システムであって、前記サーバ装置が、前記通信端末装置から、コンテンツと、当該コンテンツに関係する位置を示すコンテンツ位置情報と、を含むコンテンツデータを取得するコンテンツデータ取得手段と、前記取得した各コンテンツデータをデータベースに登録させるデータベース管理手段と、前記通信端末装置から、前記登録されたコンテンツに対する当該コンテンツの投稿者以外の他のユーザによって提供された当該コンテンツに対するコメントに関するコメント関連情報を取得するコメント関連情報取得手段と、該当するコンテンツにおける前記取得されたコメント関連情報に基づいて、前記コンテンツに対する前記ネットワーク内のユーザの注目度を示す注目度情報を算出する注目度情報算出手段と、前記通信端末装置から、前記ネットワーク内のユーザ間で注目されている注目情報の取得を所望するユーザからの取得要求を、当該ユーザの現在位置とともに受信する受信手段と、前記受信された取得要求をしたユーザの現在位置から所定の距離範囲に対応する前記コンテンツを、前記データベースに登録された各コンテンツデータの前記コンテンツ位置情報に基づいて検出する検出手段と、前記算出した注目度情報に基づいて、前記検出されたコンテンツデータの中から所定の条件を満たす前記コンテンツを特定する特定手段と、前記特定されたコンテンツ又は当該コンテンツに関する情報を注目情報として該当する通信端末装置に提供する提供手段と、を備える、構成を有している。
【００３０】
この構成より、本発明に係る通信システムは、所与の情報の取得を所望するユーザの現在位置の周辺において投稿されたコンテンツを抽出しつつ、抽出された各コンテンツ中から、注目度に基づいて、ネットワーク内のユーザによって注目されているコンテンツを注目情報として提供することができるので、情報を所望するユーザの身近に位置する情報であって他のユーザにおいて注目されている情報を提供すること、及び、それに基づいてネットワークサービス上のユーザ同士のコミュニケーションを活性化させることができる。
【発明の効果】
【００３１】
本発明に係るサーバ装置、プログラム、及び、通信システムは、情報を所望するユーザの身近に位置する情報であって他のユーザにおいて注目されている情報を提供すること、及び、それに基づいてネットワークサービス上のユーザ同士のコミュニケーションを活性化させることができる。
【図面の簡単な説明】
【００３２】
【図１】本発明に係る通信システムの一実施形態における構成を示すシステム構成図である。
【図２】一実施形態の通信システムの動作概要を示す概念図である。
【図３】一実施形態の通信端末装置の構成を示すブロック図である。
【図４】一実施形態のサーバ装置の構成を示すブロック図である。
【図５】一実施形態のサーバ装置内に設けられたＳＮＳユーザ管理データベースに記録されるデータの一例を示す図である。
【図６】一実施形態のサーバ装置内に設けられたコンテンツデータデータベースに記録されるデータの一例を示す図である。
【図７】一実施形態におけるサーバ装置内の評価情報データベースに記録されるデータの一例を示す図である。
【図８】一実施形態におけるサーバ装置の局所度算出部が実行する局所度算出処理を概念的に示すイメージ図である。
【図９】一実施形態におけるサーバ装置の活性化度算出部が実行する活性化度情報算出処理を概念的に示すイメージ図である。
【図１０】一実施形態におけるサーバ装置の雑多度算出部が実行する雑多度情報算出処理を概念的に示すイメージ図である。
【図１１】一実施形態の通信システムにおいて実行される注目情報配信処理を示すフローチャートである。
【図１２】一実施形態の情報提供サーバ装置において実行される注目度情報算出処理を示すフローチャートである。
【発明を実施するための形態】
【００３３】
以下、図面を参照しつつ、本発明の実施形態について説明する。なお、以下の実施形態は、通信端末装置と、当該通信端末装置とネットワークを介して接続されるサーバ装置と、を有する通信システムに対し、本発明に係る、サーバ装置、プログラム及び通信システムを適用した場合の実施形態である。
【００３４】
［１］通信システムの構成及び概要
まず、図１及び図２の各図を用いて本実施形態における通信システム１の構成及び概要について説明する。なお、図１は、本実施形態における通信システム１の構成を示すシステム構成図であり、図２は、本実施形態における通信システム１の動作概要を示す概念図である。また、図が煩雑になることを防止するために、図１及び図２においては、一部のユーザのみを示している。すなわち、実際の通信システム１においては、表示するよりも多数のユーザ、及び、通信端末装置が存在している。さらに、図１及び図２は、現実空間ＲＳを概念的に示しており、ＳＮＳのユーザが現実空間ＲＳ上に存在している状況を概念的に示している。
【００３５】
本実施形態の通信システム１は、ＳＮＳを利用してユーザの身近に位置する店舗又はイベント等の情報であって他のユーザにおいて注目されている情報（以下、「注目情報」という。）を提供し、かつ、当該注目情報に基づいてＳＮＳ上のコンテンツとなるユーザ同士のコミュニケーションを活性化させるためのシステムである。
【００３６】
具体的には、本実施形態の通信システム１は、図１に示すように、ユーザによって所持される複数の通信端末装置１０と、ネットワーク２０と、基地局ＢＳを介して接続される通信端末装置１０に注目情報を提供する情報提供サーバ装置３０と、から構成される。
【００３７】
なお、ネットワーク２０は、例えば、携帯電話網を含む公衆電話網と、ＩＰ（Ｉｎｔｅｒｎｅｔ  Ｐｒｏｔｏｃｏｌ）ネットワークが相互接続されて構成される。ただし、当該ネットワーク２０の構成は、これに限られない。
【００３８】
通信端末装置１０は、例えば、携帯型音楽プレーヤー、携帯型ゲーム機、タブレット型情報端末装置、スマートフォン、又は、携帯用電話機等のユーザによって携帯可能な通信端末装置である。そして、通信端末装置１０は、基地局ＢＳを介してネットワーク２０に接続される。
【００３９】
また、この通信端末装置１０は、ＸＭＬ（ｅＸｔｅｎｓｉｂｌｅ  Ｍａｒｋｕｐ  Ｌａｎｇｕａｇｅ）等のマークアップ言語によって記述されているＷＷＷシステム用のリソースデータと、当該リソースデータのネットワークアドレスを示す固有のＵＲＬ（Ｕｎｉｆｏｒｍ  Ｒｅｓｏｕｒｃｅ  Ｌｏｃａｔｏｒ）とを用いつつ、情報提供サーバ装置３０とのデータ通信を行うブラウジング機能を有している。
【００４０】
そして、通信端末装置１０は、当該ブラウジング機能を用いて、情報提供サーバ装置３０から受信したリソースデータに基づいて、当該リソースデータによって構成されるコンテンツをユーザが閲覧可能に表示するとともに、基地局ＢＳ及びネットワーク２０を介して情報提供サーバ装置３０と通信接続しつつ、情報提供サーバ装置３０からＳＮＳのサービス提供を受けることができるようになっている。
【００４１】
また、通信端末装置１０は、例えば、図２に示すように、ユーザの操作に基づいて、基地局ＢＳを介して情報提供サーバ装置３０にアクセスしつつ、ＳＮＳ上にコンテンツの投稿及び当該ＳＮＳ上に閲覧可能に提供された各コンテンツに対する評価を行うことができるように構成されている。
【００４２】
特に、通信端末装置１０は、撮像機能を有し、ユーザの操作に基づいて、現実空間ＲＳ上において、ＳＮＳ上のコンテンツとなる店舗や商品、風景などの画像を撮像することができるようになっている。そして、通信端末装置１０は、当該撮像した画像及び当該画像に対するコメント（以下、「コンテンツ」という。）を、例えば、当該通信端装置１０の現在位置などの当該コンテンツに関連する位置情報（以下、「コンテンツ位置情報」という。）とともに、コンテンツデータとして、情報提供サーバ装置３０にアップロード（投稿）することができるようになっている。すなわち、通信端末装置１０は、投稿を所望するユーザ（以下、「投稿ユーザ」という。）によって各種の情報をコンテンツとして情報提供サーバ装置３０にアップロード（投稿）することができるようになっている。
【００４３】
また、通信端末装置１０は、ユーザの操作に基づいて、情報提供サーバ装置３０に投稿済みの各コンテンツに対して、ＳＮＳ上のコンテンツとなる評価ユーザとしての評価を行うためのコメント関連情報を提供することができるようになっている。具体的には、通信端末装置１０は、評価ユーザの操作に基づいて、コメント関連情報としての、評価内容を示す評価情報と、当該評価を行った際の評価ユーザの現在位置などの評価に関連する位置情報（以下、「評価位置情報」という。）と、を対応付けて情報提供サーバ装置３０に投稿することができるように構成されている。
【００４４】
さらに、通信端末装置１０は、後述ように情報提供サーバ装置３０によって算出された注目情報をユーザに閲覧可能に表示するようになっている。
【００４５】
情報提供サーバ装置３０は、ＳＮＳの各サービスを提供するために用いられるサーバ装置である。この情報提供サーバ装置３０は、データベース（以下、「ＤＢ」という。）を有し、ＳＮＳの各ユーザが所持する通信端末装置１０を介して入力されたユーザ指示に基づいて、通信端末装置１０と連携しつつ、上記コンテンツ及び評価情報を，データとして当該ＤＢに登録（記録）するように構成されている。
【００４６】
また、情報提供サーバ装置３０は、所与のタイミング（例えば、注目情報の取得要求を受信したタイミング）において、評価情報及び評価位置情報、更には、評価ユーザの属性（性別、年齢等）に基づいて各コンテンツに対するユーザの注目度を示す注目度情報を算出するとともに、当該注目度情報に基づいて注目情報を決定し、決定した注目情報を該当するユーザの通信端末装置１０に配信するように構成されている。
【００４７】
具体的には、情報提供サーバ装置３０は、ユーザが注目情報の取得を所望する場合に、通信端末装置１０から当該ユーザ（すなわち、注目情報を所望するユーザ（以下、「注目情報所望ユーザ」という。））の現在位置を示す位置情報（以下、「所望ユーザ位置情報」という。）を取得し、当該所望ユーザ位置情報により示される現実空間上ＲＳ上の位置から所定の距離（例えば、１ｋｍ）範囲内において投稿されたコンテンツデータをコンテンツ位置情報に基づいて検出する。
【００４８】
そして、情報提供サーバ３０は、当該検出の結果ヒットしたコンテンツデータについて所定の演算を実行して注目度情報を算出し、当該算出された注目度情報が所定の条件を満たすコンテンツデータを、注目情報に決定し、注目情報所望ユーザの通信端末装置１０に配信する構成となっている。
【００４９】
特に、情報提供サーバ装置３０は、
（１）コンテンツを提供したコンテンツ位置情報によって示される位置（以下、「投稿位置」という。）と、評価ユーザが評価情報を登録した位置の評価位置情報によって示される位置（以下、「評価位置」という。）と、の距離の隣接度合いを示す局所度と、
（２）該当するコンテンツに対して、過去所定期間(例えば、一週間)以内になされた評価情報の投稿状況を示す活性化度と、
（３）該当するコンテンツデータに対する、評価ユーザの属性のバラツキを数値化した雑多度と、
から演算して注目度情報を算出し、算出された注目度情報に基づいて注目情報を決定して該当する通信端末装置１０に配信するように構成されている。
【００５０】
このような構成により、本実施形態の通信システム１においては、所与の情報の取得を所望する注目情報所望ユーザの現在位置の周辺において投稿されたコンテンツを検出しつつ、各検出されたコンテンツにおけるネットワーク内の注目度を算出し、当該算出された注目度に基づいてコンテンツを注目情報として提供することができるので、注目情報所望ユーザの身近に位置する情報であって他のユーザにおいて注目されている情報を提供すること、及び、それに基づいてネットワークサービス上のユーザ同士のコミュニケーションを活性化させることができるようになっている。
【００５１】
特に、本実施形態の通信システム１においては、例えば、他のユーザによるコメント関連情報が提供された評価位置に基づいて、当該評価位置と投稿位置と間の距離の隣接度合いを示す局所度を注目度として算出すること、評価情報の所定期間の数を算出することによって、コンテンツに対応する評価情報の投稿数、又は、当該評価情報の投稿数の増減を示す話題度を注目度として算出すること、又は、他のユーザの属性情報に基づいて、コンテンツに対する評価をした他のユーザの属性のバラツキを数値化した雑多度情報を注目度として算出することができるので、種々の角度から他のユーザにおいて注目されている情報を所望するユーザに提供することができるようになっている。
【００５２】
［２］通信端末装置の構成
次に、図３を用いて本実施形態の各通信端末装置１０の構成について説明する。なお、図３は、本実施形態の通信端末装置１０の構成を示す構成図である。
【００５３】
本実施形態の通信端末装置１０は、図３に示すように、記録部１００と、基地局ＢＳを介してネットワーク２０に接続するネットワーク通信部１１０と、ＧＰＳ衛星４０から発信されたＧＰＳ信号に基づいて自機の現在位置を検出する現在位置検出部１２０と、種々のアプリケーションを実行するアプリケーション実行部１３０と、を有している。
【００５４】
また、通信端末装置１０は、所定の画像を表示する表示部１４０と、表示部１４０を制御する表示制御部１５０と、カメラモジュールとして機能する撮像部１６０と、ユーザの操作を受け付ける操作部１７０と、装置全体を管理制御する端末管理制御部１８０と、を有している。なお、上記の各部は、バスＢによって相互に接続され、各構成要素間におけるデータの転送が実行される。
【００５５】
記録部１００は、例えば、ハードディスクドライブ（以下、「ＨＤＤ」と略す。）、又は、ＮＡＮＤ型若しくはＮＯＲ型等の不揮発性フラッシュメモリによって構成される。また、記録部１００は、アプリケーション実行部１３０、撮像部１６０及び端末管理制御部１８０のワークエリアとしてＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ  ）も含まれる。
【００５６】
具体的には、記録部１００は、アプリケーション記録部１０１と、ＳＮＳ利用管理データ記録部１０２と、を少なくとも含む。
【００５７】
アプリケーション記録部１０１には、現在位置検出部１２０、アプリケーション実行部１３０、及び、撮像部１６０、端末管理制御部１８０によって実行される様々なアプリケーションプログラム（以下「アプリ」という。）が記録されている他に、上記ブラウジング機能を実現するためのプログラム（すなわち、「ブラウザ」。）も記録されている。
【００５８】
ＳＮＳ利用管理データ記録部１０２には、当該通信端末装置１０のユーザがＳＮＳのサービス提供を受ける際に必要となる各種の管理データ（以下、「ＳＮＳ管理データ」という。）が記録される。
【００５９】
例えば、ＳＮＳ利用管理データ記録部１０２には、ＳＮＳ管理データとして、例えば、ＳＮＳのサイトに対応するＵＲＬと、当該ユーザが利用している電子メールのメールアドレスと、当該ユーザのアカウント及び上記ユーザＩＤと、ログイン用のパスワード（すなわち、ログインパスワード）と、が記録されている。ただし、これらの情報が記録されずに、ＳＮＳへのログイン時に、これらの情報が操作部１７０を介して入力されてもよい。
【００６０】
ネットワーク通信部１１０は、基地局ＢＳの準拠する通信規格により、基地局ＢＳと無線通信チャネルを構築し、ネットワーク２０を経由して、情報提供サーバ装置３０と各種データの授受を行う。
【００６１】
なお、基地局ＢＳの準拠する通信規格は、ネットワーク２０の構成によって異なる。例えば、ネットワーク２０が携帯電話網を含む場合には、３ＧＰＰ（３ｒｄ  Ｇｅｎｅｒａｔｉｏｎ  Ｐｅｒｔｎｅｒｓｈｉｐ  Ｐｒｏｊｅｃｔ）、又は、３ＧＰＰ２、或いは、ＬＴＥ（Ｌｏｎｇ  Ｔｅｒｍ  Ｅｖｏｌｕｔｉｏｎ）などの通信規格に準拠することになる。また、ＩＥＥＥ８０２．１１系の各種ワイヤレスＬＡＮ（Ｗｉｒｅｌｅｓｓ  ｌｏｃａｌ  ａｒｅａ  ｎｅｔｗｏｒｋ）ネットワークを携帯電話網や固定電話網に接続する構成を採用する場合には、対応する通信規格に準拠することになる。
【００６２】
現在位置検出部１２０は、所定のタイミング毎に通信端末装置１０の現在位置を検出しつつ、当該現在位置示す位置情報を生成する。
【００６３】
例えば、現在位置検出部１２０は、所定のタイミングにおいて、図１に示すＧＰＳ衛星４０の位置を認識しつつ、当該ＧＰＳ衛星４０から送信された衛星信号（ＧＰＳ信号）を受信する。そして、現在位置検出部１２０は、当該受信したＧＰＳ信号に基づいて自機の現在位置の座標値（例えば、緯度及び経度）を算出し、当該座標値を現在の位置情報としてアプリケーション実行部１３０に供給する。
【００６４】
なお、通信端末装置１０のネットワーク通信部１１０が、携帯電話機能を実現するチップセット、又は、ＩＥＥＥ８０２．１１系の各種ワイヤレスＬＡＮ（Ｗｉｒｅｌｅｓｓ  ｌｏｃａｌ  ａｒｅａ  ｎｅｔｗｏｒｋ）の通信プロトコルに従って、無線通信を行う機能を実現するチップセットを用いて構成されている場合には、現在位置検出部１２０は、これらの無線システム等において用いられる、三点測量法、すなわち、基地局ＢＳから受信した電波信号の方角と電波強度に基づいて自機の現在位置を検出してもよい。
【００６５】
アプリケーション実行部１３０は、独立的に設けられた中央演算処理装置（ＣＰＵ）によって又は端末管理制御部１８０ともに共通の中央演算処理装置（ＣＰＵ）によって構成され、アプリケーション記録部１０１に記録された各種アプリに基づいて、各処理を実現する。
【００６６】
具体的には、アプリケーション実行部１３０は、操作部１７０に対するユーザの入力操作を検出すると、ブラウザの所定の機能を実行してネットワーク通信部１１０と連動しつつ、情報提供サーバ装置３０に通信接続し、ＳＮＳへのログインを行う。
【００６７】
そして、アプリケーション実行部１３０は、コンテンツを投稿する際には、ログイン状態において、記録部１００、現在位置検出部１２０、表示制御部１５０、撮像部１６０、及び、操作部１７０と連動しつつ、撮像された画像のデータである画像データ、入力操作に基づくテキストデータ、又は、当該画像データとテキストデータを、コンテンツとして情報提供サーバ装置３０に提供する。このとき、アプリケーション実行部１３０は、ＧＰＳ衛星４０からの信号に基づいて、自機の現在位置を示す位置情報を取得し、当該取得した位置情報を、投稿位置を示すコンテンツ位置情報として当該コンテンツデータを含めて、アップロード（投稿）する。
【００６８】
なお、コンテンツ位置情報は、自機の現在位置の他に、画像データの位置、又は、コメントによって提供される店舗又はイベントなどの位置であってもよい。この場合には、アプリケーション実行部１３０は、操作部１７０と連動して位置情報を操作入力又は現在位置の補正を行うことができるようになっている。
【００６９】
一方、アプリケーション実行部１３０は、評価情報を投稿する際には、ログイン状態において、記録部１００、現在位置検出部１２０、表示制御部１５０、撮像部１６０、及び、操作部１７０と連動しつつ、入力操作に基づくテキストデータを、評価情報として情報提供サーバ装置３０に提供する。このとき、アプリケーション実行部１３０は、ＧＰＳ衛星４０からの信号に基づいて、自機の現在位置を示す位置情報を取得し、当該取得した位置情報を、評価位置情報として当該評価情報に含めて、アップロード（投稿）する。
【００７０】
なお、アプリケーション実行部１３０は、オープングラフプロトコル等に従って、情報提供サーバから受信したＸＭＬデータ内の「いいね」ボタンが選択された旨の情報を評価情報として生成してもよい。ただし、この「いいね」ボタンに関しては、従来のＳＮＳにて用いられるものと同様であるため、詳細は省略する。
【００７１】
表示部１４０は、例えば、液晶素子又は有機ＥＬ（Ｅｌｅｃｔｒｏ  Ｌｕｍｉｎｅｓｃｅｎｃｅ）素子のパネルによって構成され、表示制御部１５０において生成された表示データに基づいて所定の画像を表示する。
【００７２】
表示制御部１５０は、表示部１４０に表示させるために必要な表示データを生成するようになっており、生成された表示データを当該表示部１４０に出力する。
【００７３】
撮像部１６０は、光学システムと、該光学システムから入力された光学画像を電気信号に変換するＣＣＤＩセンサ（Ｃｈａｒｇｅ  Ｃｏｕｐｌｅｄ  Ｄｅｖｉｃｅ  Ｉｍａｇｅ  Ｓｅｎｓｏｒ）と、ＣＣＤＩセンサ部において生成された電気信号に基づいて画像に対応する画像データを生成する生成部と、を有し、カメラモジュールとして機能する。撮像部１６０は、生成した画像データをアプリケーション実行部１３０に供給する。
【００７４】
操作部１７０は、各種の確認ボタン、各操作指令を入力する操作ボタン、テンキーなどの多数のキー及びタッチパネルにより構成され、各操作を行う際に用いられる。
【００７５】
端末管理制御部１８０は、主に中央演算処理装置（ＣＰＵ）によって構成されるとともに、キー入力ポート、表示制御ポート等の各種入出力ポートを含み、記録部１００に記録された各種のアプリケーションを実行することにより、通信端末装置１０の全般的な機能を総括的に制御する。
【００７６】
［３］サーバ装置の構成
次に、図４〜図７の各図を用いて本実施形態の情報提供サーバ装置３０の構成について説明する。なお、図４は、本実施形態の情報提供サーバ装置３０の構成を示すブロック図であり、図５は、本実施形態における情報提供サーバ装置３０内のＳＮＳユーザ管理ＤＢ３３１に記録されるデータの一例を示す図である。また、図６は、本実施形態における情報提供サーバ装置３０内のコンテンツデータＤＢ３４２に記録されるデータの一例を示す図であり、図７は、本実施形態における情報提供サーバ装置３０内の評価情報ＤＢ３４３に記録されるデータの一例を示す図ある。
【００７７】
本実施形態の情報提供サーバ装置３０は、図４に示すように、ネットワーク２０に接続される通信制御部３１０と、各種のメモリとして機能するＲＯＭ／ＲＡＭ３２０と、現在日時を特定するためのタイマ３３０と、各種のデータベースを有する記録装置３４０と、装置全体を制御するサーバ管理制御部３５０と、商品の区画画像を管理するための各種の処理を実行するデータ処理部３６０と、を有する。
【００７８】
なお、例えば、本実施形態の通信制御部３１０は、本発明に係るコンテンツデータ取得手段提供手段及びコメント関連情報取得手段又はその一部を構成し、サーバ管理制御部３５０は、データベース管理手段、検出手段、及び、特定手段、又は、その一部を構成する。また、上記の各部は、バスＢによって相互に接続され、各構成要素間におけるデータの転送が実行される。
【００７９】
通信制御部３１０は、所定のネットワークインターフェースであり、通信端末装置１０と通信チャネルを構築し、各種データの授受を行う。
【００８０】
ＲＯＭ／ＲＡＭ３２０には、情報提供サーバ装置３０の駆動に必要な各種のプログラムが記録されている。また、ＲＯＭ／ＲＡＭ３２０は、サーバ管理制御部３５０やデータ処理部３６０が各種の処理を実行する際のワークエリアとして用いられる。
【００８１】
記録装置３４０は、ＨＤＤにより構成され、その記録領域内に、少なくとも、ＳＮＳユーザ管理ＤＢ３４１と、コンテンツデータＤＢ３４２と、評価情報ＤＢ３４３と、が設けられている。
【００８２】
ＳＮＳユーザ管理ＤＢ３４１は、ＳＮＳの利用登録をした各ユーザを管理するための各種情報がデータとして格納されるデータベースである。例えば、ＳＮＳユーザ管理ＤＢ３４１には、図５に示すように、
（１）各ユーザに対応するユーザＩＤと、
（２）当該ユーザのユーザ名と、
（３）当該ユーザのユーザ情報と、
が対応付けて登録（記録）される。
【００８３】
例えば、図５に例示する場合には、ＳＮＳユーザ管理ＤＢ３４１には、ユーザＩＤ「００１」により特定されるユーザに対して、ユーザ名「ユーザＡ」と、ユーザ情報「ｕｓｅｒＡ−ｐｒｏｆｉｌｅ」なるユーザ情報が対応付けて記録されている。なお、このユーザ情報には少なくとも当該ユーザの性別、及び、年齢、又は、年齢層が含まれている。
【００８４】
コンテンツデータＤＢ３４２は、通信端末装置１０を通じて投稿されたコンテンツをコンテンツデータとして管理登録するためのＤＢである。例えば、
コンテンツデータＤＢ３４２には、図６に示すように、
（１）各コンテンツデータを識別するためのコンテンツＩＤと、
（２）当該コンテンツ本体のデータと、
（３）当該コンテンツを投稿したユーザの投稿ユーザＩＤと、
（４）投稿位置等の当該コンテンツに関連するコンテンツ位置情報と、
が対応付けて格納される。
【００８５】
評価情報ＤＢ３４３には、通信端末装置１０からアップロードされた評価情報及び評価位置情報に対応したデータが格納される。例えば、評価情報ＤＢ３４３には、図７に示すように、
（１）評価の対象となっているコンテンツに対応したコンテンツＩＤと、
（２）評価ユーザのユーザＩＤと、
（３）当該コンテンツに対するコメント、又は、「いいね」ボタンのクリック状況を含む評価情報と、
（４）当該評価情報に対応付けて投稿された評価位置情報と、
（５）タイマ３３０によって得られる当該評価情報の投稿日時を示す評価日時と、
が対応付けて登録される。
【００８６】
サーバ管理制御部３５０は、主に中央演算処理装置（ＣＰＵ）によって構成され、プログラムを実行することによって、情報提供サーバ装置３０の各部を統合制御する。
【００８７】
データ処理部３６０は、独立的に設けられた中央演算処理装置（ＣＰＵ）によって又は上記サーバ管理制御部３５０とともに共通の中央演算処理装置（ＣＰＵ）によって構成される。
【００８８】
特に、サーバ管理制御部３５０による制御の下、ログイン管理を実行しつつ、通信端末装置１０によってコンテンツの投稿及び評価情報の投稿が実行されることによってアップロードされたコンテンツデータの登録管理を実行する。そして、データ処理部３６０は、注目情報所望ユーザの通信端末装置１０からコンテンツの取得要求が通信制御部３１０に受信された場合に、当該要求に付加された上記所望ユーザ位置情報に基づいて、該当するコンテンツデータを検出する。
【００８９】
また、データ処理部３６０は、検出したコンテンツデータについて注目度情報を算出する。そして、データ処理部３６０は、算出する注目度情報に基づいて注目情報を決定し、決定した注目情報を、通信制御部３１０を介して該当する通信端末装置１０、すなわち、コンテンツの取得要求をした通信端末装置１０に配信する。
【００９０】
具体的には、データ処理部３６０は、アプリケーションを実行することによって、コンテンツデータの登録管理を実行するコンテンツ登録管理部３６１と、コンテンツの検出を行うコンテンツ検出部３６２と、注目度を算出する注目情報決定配信部３６３と、を実現する。
【００９１】
特に、コンテンツ検出部３６２は、通信端末装置１０から注目情報所望ユーザにおける注目情報の取得を所望する旨を受信した場合に、当該注目情報の取得を所望する旨に含まれる所望ユーザ位置情報を取得し、当該所望ユーザ位置情報により示される現実空間上ＲＳ上の位置から所定の距離（例えば、１ｋｍ）範囲内において投稿されたコンテンツをコンテンツ位置情報に基づいて検出する。
【００９２】
また、本実施形態の注目情報決定配信部３６３は、上述のように、
（１）コンテンツ位置情報によって示される投稿位置と、評価位置情報により示される位置と、の距離の隣接度合いを示す局所度を局所度情報として算出し、
（２）該当するコンテンツに対して、過去所定期間(例えば、一週間)以内になされた評価情報の投稿状況を示す活性化度を活性化度情報として算出し、かつ、
（３）該当するコンテンツに対する、評価ユーザの属性のバラツキを数値化した雑多度を雑多度情報として算出するようになっている。
【００９３】
そして、注目情報決定配信部３６３は、局所度情報、活性化度情報及び雑多度情報に基づいて、注目度情報を算出するとともに、算出した注目度に基づいて検出したコンテンツデータの中から所定の条件を具備するコンテンツを注目情報として決定して該当する通信端末装置１０に配信する。
【００９４】
注目情報決定配信部３６３は、上記の演算を実行するために、機能別に、局所度算出部３６５と、活性化度算出部３６６と、雑多度算出部３６７と、注目情報決定部３６８と、を含む。
【００９５】
なお、例えば、本実施形態の注目情報決定配信部３６３は、本発明に係る注目度算出手段を構成する。また、本実施形態の注目情報決定配信部３６３の詳細は後述する。
【００９６】
［４］注目情報決定配信部の構成
次に、図８〜図１０の各図を用いて本実施形態のデータ処理部３６０における注目情報決定配信部３６３の詳細について説明する。なお、図８は、注目情報決定配信部３６３の局所度算出部３６５によって実行される局所度算出処理を概念的に示すイメージ図であり、図９は、注目情報決定配信部３６３の活性化度算出部３６６によって実行される活性化度情報算出処理を概念的に示すイメージ図である。また、図１０は、注目情報決定配信部３６３の雑多度算出部３６６によって実行される雑多度情報算出処理を概念的に示すイメージ図である。
【００９７】
（局所度算出部）
局所度算出部３６５は、上述のように、コンテンツ位置情報によって示されるコンテンツに関する位置（すなわち、投稿位置）と、評価位置情報により示される評価位置と、の距離の隣接度合いを示す局所度を局所度情報として算出する。
【００９８】
通常、画像等のコンテンツが投稿された位置から離れた場所において当該コンテンツに対して評価を行った評価ユーザは、当該コンテンツに対応する物又は場所に関する知識が乏しいと仮定することができる。その一方、当該コンテンツが投稿された投稿位置の近傍から評価を行った評価ユーザは、自宅又は職場が近い等の理由から、これらの物又は場所に関する知識が豊富であると仮定することができる。したがって、コンテンツが投稿された投稿位置の近傍から行われた評価は、当該コンテンツが投稿された位置の遠方から行われた評価よりも、信憑性が高く、注目度及び有効性も高いと想定される。
【００９９】
そこで、本実施形態の局所度算出部３６５は、コンテンツ毎に、コンテンツデータに含まれるコンテンツ位置情報によって示される投稿位置と、当該コンテンツに対して登録された各評価情報に含まれる位置情報により示される評価を実行した評価位置と、の距離を算出するとともに、その平均を算出し、当該算出した平均の逆数を局所度情報として算出する。すなわち、局所度算出部３６５は、該当するコンテンツに対して投稿位置に対して評価位置の距離が近いほど、局所度の値が大きくなり、かつ、当該距離が遠いほど値が小さくなるように、算出した平均の逆数を局所度情報として算出する。
【０１００】
具体的には、局所度算出部３６５は、コンテンツ毎に、コンテンツとそれぞれの評価情報とについて以下の（式１）に従って局所度情報ＷＡを算出する。なお、（ａ１）は、重み付け定数であり、（Ｘ）は、コンテンツ位置情報により示される座標から評価位置情報により示される座標までの距離の平均値を示す。
【０１０１】
ＷＡ＝（ａ１）×（１／（Ｘ））          ・・・・・式（１）
【０１０２】
例えば、図８(ａ)及び(ｂ)に例示する場合を想定する。具体的には、コンテンツ（ｉｔｅｍ００１（コンテンツＩＤ１００００１））及びコンテンツ（ｉｔｅｍ００４(コンテンツＩＤ１００００４）)が各々対応する投稿ユーザＡ及び投稿ユーザＢによって投稿されている。また、その各々のコンテンツに対して「評価ユーザ１」及び「評価ユーザ２」が評価を行っている。
【０１０３】
特に、図８(ａ)に示すコンテンツ「ｉｔｅｍ００１」については、例えば、投稿位置と同一の駅周辺に存在する評価ユーザによって評価が行われているなど近接しており、具体的には、「評価ユーザ１」及び「評価ユーザ２」によって当該コンテンツ「ｉｔｅｍ００１」の評価位置（評価座標）が、投稿位置（投稿座標）から「１０ｍ」離れている。
【０１０４】
この場合には、「評価ユーザ１」及び「評価ユーザ２」は、「ｉｔｅｍ００１」の撮像場所の近傍に局所化しているので、本実施形態の局所度算出部３６５は、値が大きな局所度を算出することになる。
【０１０５】
一方、図８（ｂ）に示すコンテンツ「ｉｔｅｍ００４」については、例えば、投稿位置から非常に離れた場所に存在し、距離的に離れた場所に分散しているユーザによって評価がされており、「評価ユーザ１」及び「評価ユーザ２」によって当該「ｉｔｅｍ００４」の評価位置（評価座標）が投稿位置（投稿座標）から「１００ｋｍ」離れている。
【０１０６】
この場合には、「評価ユーザ１」及び「評価ユーザ２」は、「ｉｔｅｍ００１」の撮像場所の近傍に局所化していないので、本実施形態の局所度算出部３６５は、値が小さな局所度を算出することになる。
【０１０７】
（活性化度算出部）
活性化度算出部３６６は、該当するコンテンツに対して、所定期間内の当該コンテンツに対応する評価情報の投稿数、及び、当該評価情報の投稿数の増減に基づいて、ＳＮＳ内での話題となっている度合いを示す活性化度情報を算出する。
【０１０８】
通常、コンテンツの評価情報の投稿数又は当該投稿数の増減、特に、直近のコンテンツの評価情報の投稿数又は当該投稿数の増減は、多数のユーザにおける当該コンテンツへの興味の有無を端的に示し、投稿数が多ければ又は当該投稿数が増加していれば（増加傾向にあれば）、注目度が高いものと考えられる。
【０１０９】
そこで、本実施形態において活性化度算出部３６６は、該当するコンテンツに対応する各評価情報の評価日時の情報に基づいて、コンテンツ毎に、所定期間内の該コンテンツに対応する評価情報の投稿数、及び、当該評価情報の直近の単位時間あたりの投稿数の増加量を算出する。そして、活性化度算出部３６６は、算出した所定期間内の評価情報の投稿数と、当該評価情報の直近の単位時間あたりの投稿数の増加量を加算して活性度として算出する。
【０１１０】
具体的には、活性化度算出部３６６は、コンテンツ毎に、該当するコンテンツに対応する各評価情報の評価日時の情報に基づいて、一定期間における評価情報の投稿数を算出する。また、活性化度算出部３６６は、コンテンツ毎に、該当するコンテンツに対応する各評価情報の評価日時の情報に基づいて、直近とその前の単位時間あたりの評価情報の投稿数をそれぞれ算出し、その増加量を算出する。そして、活性化度算出部３６６は、以下の（式２）に従って活性化度情報ＷＢを算出する。なお、（ｂ１）及び（ｂ２）は、重み付け定数であり、（Ｙ１）は、過去所定期間内に投稿された評価情報総数を示し、（Ｙ２）は、直近の単位時間内における評価情報の増加量を示す。
【０１１１】
ＷＢ＝（ｂ１）×（Ｙ１）＋（ｂ２）×（Ｙ２）          ・・・・・式（２）
【０１１２】
例えば、図９(ａ)及び(ｂ)に例示する場合を想定する。具体的には、コンテンツ（ｉｔｅｍ００１（コンテンツＩＤ１００００１））及びコンテンツ（ｉｔｅｍ００４（コンテンツＩＤ１００００４））が各々対応する投稿ユーザＡ及び投稿ユーザＢによって投稿されている。
【０１１３】
特に、図９（ａ）に示すコンテンツ（ｉｔｅｍ００１)に関しては、「評価ユーザ１」〜「評価ユーザ４」によって過去の所定期間内（例えば一週間以内）に３００件の評価情報が投稿されており、直近の単位時間（例えば、１日）内に評価情報の投稿が５０件に増加している。この場合には、本実施形態の活性化度算出部３６６は、所定期間の投稿数及び単位時間当たりの投稿数の増加量に基づく活性化度情報ＷＢについては大きな値を算出することなる。
【０１１４】
一方、図９（ｂ）に示すコンテンツ（ｉｔｅｍ００１)に関しては、「評価ユーザ１」〜「評価ユーザ４」によって過去所定期間（例えば一週間）内に３０件の評価情報が投稿されており、直近の単位時間（例えば、１日）内に評価情報の投稿が２件に増加している。この場合には、本実施形態の活性化度算出部３６６は、所定期間の投稿数及び単位時間当たりの投稿数の増加量に基づく活性化度情報ＷＢについては小さな値を算出することになる。
【０１１５】
なお、本実施形態の活性化度算出部３６６は、においては、マイナスの増加量が算出された場合には、増加量を「０」として上記の演算を実行する。
【０１１６】
（雑多度算出部）
雑多度算出部３６７は、該当するコンテンツに対して、評価情報に含まれる評価ユーザの属性（ユーザ情報）に基づいて、当該コンテンツに評価した評価ユーザのバラツキを数値化した雑多度を雑多度情報として算出する。
【０１１７】
通常、幅広いユーザによって評価がなされているコンテンツは、注目度も高いと想定される。そこで、本実施形態において、雑多度算出部３６７は、コンテンツ毎に、評価ユーザのユーザＩＤを特定しつつ、当該ユーザＩＤと対応付けてＳＮＳユーザ管理ＤＢ３４１に格納されたユーザ情報を読み出し、当該ユーザ情報に基づいて、評価ユーザの男女比及び年齢層を特定して、雑多度情報ＷＣを算出するようになっている。
【０１１８】
具体的には、活性化度算出部３６６は、コンテンツ毎に、該当する評価ユーザのユーザ情報に基づいて、評価情報を提供したユーザのユーザ数、評価ユーザの男女比、及び、評価ユーザの最小年齢から最高年齢の差を示す年齢幅をそれぞれ算出し、以下の（式３）に従ってコンテンツ毎に算出したユーザ数、男女比及び年齢幅を加算して雑多度ＷＣを算出する。なお、（ｃ１）、（ｃ２）及び（ｃ３）は、重み付け定数であり、（Ｚ１）は、評価情報を提供したユーザ数、（Ｚ２）は、評価ユーザの男女比、及び、（Ｚ３）は、評価ユーザの年齢幅を示す。
【０１１９】
ＷＣ＝（ｃ１）×（Ｚ１）＋（ｃ２）×（Ｚ２）＋（ｃ３）×（Ｚ３）・・・式（３）
【０１２０】
例えば、図１０(ａ)(ｂ)に例示する場合を想定する。具体的には、コンテンツ（ｉｔｅｍ００１)及びコンテンツ（ｉｔｅｍ００４)が各々に対応する投稿ユーザＡ及び投稿ユーザＢによって投稿されている。
【０１２１】
特に、コンテンツ（ｉｔｅｍ００１）に関しては、評価ユーザ１〜３０の３０人の評価ユーザによって評価情報が投稿されており、評価ユーザは（男性：１８人、女性１２人）の男女比（＝３：２＝２／３）で（１０〜６０歳）の年齢層（＝５０）とも幅広くなっている。
【０１２２】
一方、コンテンツ（ｉｔｅｍ００４」に関しては、「評価ユーザ１」〜「評価ユーザ３」という３人の評価ユーザのみによって評価情報が投稿されており、その投稿ユーザは（男性：３人、女性０人）の男女比（０）で（５０〜５５歳）年齢層（＝５）とも評価ユーザに偏りがある。
【０１２３】
この場合には、活性化度算出部３６６は、コンテンツ（ｉｔｅｍ００１）については値が大きな活性化度を算出することになり、コンテンツ（ｉｔｅｍ００２）については値が小さな活性化度を算出することになる。
【０１２４】
（注目情報決定部）
注目情報決定部３６８は、上述のように算出された各コンテンツにおける注目度情報Ｗを集計するとともに、当該注目度情報Ｗの高いコンテンツ（例えば、上位５位までのコンテンツ）を注目度の高いコンテンツとして判断し、当該コンテンツにおける情報を注目情報として決定する。そして、注目情報決定部３６８は、決定した注目情報をリソースデータとして構築し、通信制御部３１０を介して該当する通信端末装置１０に配信する。
【０１２５】
特に、注目情報決定部３６８は、コンテンツ毎に、上記（式１）〜（式３）によって算出されたＷＡ、ＷＢ及びＷＣを以下の（式４）に代入して注目度情報Ｗを算出し、注目度情報Ｗの数値が高い所定数のコンテンツ（例えば、上位５位）を、注目情報として決定して該当する通信端末装置１０に配信する。なお、（ｄ１）、（ｄ２）及び（ｄ３）は、重み付け定数である。
【０１２６】
Ｗ＝ＷＡ×（ｄ１）＋ＷＢ×（ｄ２）＋ＷＣ×（ｄ３）      ・・・式（４）
【０１２７】
［５］通信システムの動作
次いで、図１１及び図１２を参照しつつ本実施形態の通信システム１の注目情報配信処理の動作について説明する。
【０１２８】
［５．１］注目情報配信処理
まず、図１１を用いて通信システム１の注目情報配信処理について説明する。なお、図１１は、本実施形態の通信システム１において実行される注目情報配信処理を示すフローチャートである。
【０１２９】
本動作においては、当該動作に先立って、ＳＮＳの利用登録済みの状態、すなわち、ＳＮＳユーザ管理ＤＢ３３１に各種の情報が登録済みの状態になっているものとする。そして、既にコンテンツ及び評価情報が投稿されておりコンテンツデータＤＢ３４２及び評価情報３４３には、図６及び図７に例示する各種データが登録済みになっているものとする。なお、ＳＮＳへの利用登録方法やコンテンツデータ、及び、評価情報投稿の方法は、従来のＳＮＳと同一なので、その説明を省略する。
【０１３０】
また、本動作において、通信端末装置１０の端末管理制御部１８０は、表示制御部１５０を制御し、ユーザによるＳＮＳへのログイン指示の表示を行いつつ、入力が操作部１７０に対してなされるのを待機しているものとする。
【０１３１】
まず、ユーザが操作部１７０に所定の入力操作を行い、当該操作が端末管理制御部１８０によって検出されると（ステップＳ１０：Ｙ）、端末管理制御部１８０は、アプリケーション記録部１０１に記録されたブラウザをアプリケーション実行部１３０に起動させ、情報提供サーバ装置３０に対してログインを実行させる（ステップＳ１１）。
【０１３２】
このとき、アプリケーション実行部実行部１３０は、表示制御部１５０及び操作部１７０と連動し、情報提供サーバ装置３０にアクセスしつつ、ＳＮＳにログインするためのログインパスワードなど、各種ログインに必要な情報の入力を受け付ける。
【０１３３】
次いで、アプリケーション実行部実行部１３０は、ＳＮＳへのログイン状態を維持しつつ、現在位置検出部１２０にコンテンツ所望ユーザ位置情報を取得させる（ステップＳ１２）。
【０１３４】
次いで、アプリケーション実行部実行部１３０は、取得した所望ユーザ位置情報を付加したコンテンツ取得要求を情報提供サーバ３０に送信し、情報提供サーバ３０からのデータ受信を待機する（ステップＳ１３）。
【０１３５】
次いで、情報提供サーバ装置３０においては、通信制御部３１０が、このコンテンツ取得要求を受信すると（ステップＳ２０：Ｙ）、コンテンツ登録処理部３６１は、当該受信日時をタイマによって特定して、ＲＯＭ／ＲＡＭ３２０に一時記録するとともに、当該要求に付加された所望ユーザ位置情報を抽出する（ステップＳ２１）。
【０１３６】
次いで、コンテンツ検出部３６２は、当該位置情報を検索キーとして、コンテンツ所望ユーザの現在位置から所定の距離（例えば、１ｋｍ）範囲内において撮像されたコンテンツデータを検出し、当該検出したコンテンツデータのコンテンツＩＤをコンテンツデータＤＢ３４２から読み出す（ステップＳ２２）。このとき、コンテンツ検出部３６２は、読み出したコンテンツＩＤをＲＯＭ／ＲＡＭ３２０に一時記録する。
【０１３７】
次いで、注目情報決定配信部３６３は、注目度情報算出処理を実行し（ステップＳ２３）、ＲＯＭ／ＲＡＭ３２０に展開したコンテンツＩＤに対応した、各コンテンツデータに関する注目度情報Ｗを算出させる（ステップＳ２３）。なお、注目情報決定配信部３６３によって実行される注目度情報算出処理の詳細については、後述する。
【０１３８】
次いで、注目情報決定部３６８は、当該算出された注目度情報Ｗが所定の閾値を超えるなど、所定の条件を満たすコンテンツデータを特定し（ステップＳ２４）、当該特定されたコンテンツデータに基づいて注目情報を生成する（ステップＳ２５）。
【０１３９】
次いで、注目情報決定部３６８は、ステップＳ２５において生成された注目情報を、通信制御部３１０を介して、取得要求の送信元の通信端末装置１０（すなわち、注目情報所望ユーザ）に配信して（ステップＳ２６）、本動作を終了させる。
【０１４０】
なお、注目情報の形式については任意であり、例えば、注目度情報Ｗの値が大きいものから所定数のコンテンツデータに基づいて、サムネイル形式にて注目情報を生成するようにしてもよく、注目度Ｗの値が大きいものの上位数個分を一覧形式にて通信端末装置１０にて表示させるように注目情報を生成してもよい。
【０１４１】
次いで、通信端末装置１０において、ネットワーク通信部１１０が注目情報を受信すると（ステップＳ１４：Ｙ）、アプリケーション実行部１３０は、表示制御部１５０と連動し、当該受信した注目情報に基づき、注目情報を表示部１４０に表示させて（ステップＳ１５）、本動作を終了させる。
【０１４２】
［５．２］  注目度情報算出処理
次に、図１２を用いて情報提供サーバ装置３０の注目情報配信処理において実行される注目度情報の抽出処理について説明する。なお、図１２は、データ処理部３６０が実行する注目度情報算出抽出処理を示すフローチャートである。
【０１４３】
本動作の開始前に、記録装置３４０の各ＤＢ３４１〜３４３には、処理に必要なデータが全て登録済みの状態になっているものとする。なお、この処理は、このタイミングに限定されることはなく、例えば、何日かに一度決められた時間に実行するようにしてもよい。
【０１４４】
まず、局所度算出部３６５は、ＲＯＭ／ＲＡＭ３２０に展開されたコンテンツＩＤを読み出し、当該コンテンツＩＤと対応付けられた評価情報及び評価位置情報を評価情報ＤＢ３４３から読み出す（ステップＳ２３１）。
【０１４５】
そして、局所度算出部３６５は、当該読み出した評価位置情報に基づいて図８に示す局所度情報ＷＡの算出処理を行う（ステップＳ２３２）。
【０１４６】
次いで、活性化度算出部３６６は、図９に示す、活性化度情報ＷＢの算出処理を実行する（ステップＳ２３３）。
【０１４７】
次いで、雑多度算出部３６７は、ＳＮＳユーザ管理ＤＢ３４１から評価ユーザに対応するユーザ情報を読み出し（ステップＳ２３４）、読み出したユーザ情報に基づいて図１０に示す雑多度情報ＷＣの算出処理を実行する（ステップＳ２３５）。
【０１４８】
次いで、注目情報決定部３６８は、算出された局所度情報ＷＡ、話題度情報ＷＢ雑多度情報ＷＣを上記（式４）に代入して注目度情報Ｗを算出して（ステップＳ２３６）、本動作を終了する。
【０１４９】
なお、本動作によって注目度情報Ｗを算出すると、注目情報決定部３６８は、ステップＳ２４において、算出した注目度情報Ｗに基づいて処理を実行することになる。
【０１５０】
以上のように、本実施形態の通信システム１においては、所与の情報の取得を所望する注目情報所望ユーザの現在位置の周辺において投稿されたコンテンツを検出しつつ、各検出されたコンテンツにおけるネットワーク内の注目度を算出し、当該算出された注目度に基づいてコンテンツを注目情報として提供することができるので、注目情報所望ユーザの身近に位置する情報であって他のユーザにおいて注目されている情報を提供すること、及び、それに基づいてネットワークサービス上のユーザ同士のコミュニケーションを活性化させることができる。
【０１５１】
また、本実施形態の通信システム１においては、評価ユーザによるコメント関連情報が提供された位置に基づいて、局所度を注目度として算出することができるので、コンテンツに対応する物や場所に関する知識が豊富な評価ユーザによって評価されたコンテンツを、注目情報として提供することができる。特に、本実施形態の通信システム１においては、コンテンツ位置情報によって示される位置から評価位置情報によって示される位置までの距離の逆数を前記局所度情報として算出するので、簡易、かつ、正確に局所度情報を算出することができる。
【０１５２】
また、本実施形態の通信システム１においては、評価情報の所定期間の数を算出することによって話題度を注目度として算出することができるので、話題性の高い有用なコンテンツを所望するユーザに提供することができる。特に、本実施形態の通信システム１においては、単位時間以前の古い評価情報を利用せずに、時間的に最近投稿された評価情報のみに基づいて、話題性の高い有用なコンテンツを所望する注目情報所望ユーザに提供することができる。
【０１５３】
また、本実施形態の通信システム１においては、評価ユーザの属性情報に基づいて、雑多度情報を注目度として算出することができるので、幅広い属性の評価ユーザによって評価されたコンテンツを確実に特定することができるとともに、幅広いユーザによって興味を持たれたコンテンツを注目情報所望ユーザに的確に提供することができる。
【０１５４】
［６］変形例
［６．１］変形例１
上記実施形態においては、コンテンツデータが通信端末装置１０内において生成されるものとして説明したが、通信端末装置１０と、情報提供サーバ装置３０と、が連携することによりコンテンツデータを生成するようにすることも可能である。この場合、例えば、画像を撮像して情報提供サーバにアップロードした後、投稿ユーザが通信端末装置１０を用いて情報提供サーバ３０にアクセスする。そして、アップロード済みのコンテンツデータに対するタグ付けや、画像の加工指示を送信し、情報提供サーバ３０が通信端末装置１０からの指示に基づいてコンテンツの改変を行うようにすればよい。
【０１５５】
［６．２］変形例２
上記必実施形態においては、情報提供サーバ装置３０内に各ＤＢを設け、これらのＤＢを情報提供サーバ装置３０のみにおいて管理及び制御する構成としたが、各ＤＢの管理、制御主体は、各々、別個なコンピュータシステムを用いるようにしてもよい。
【０１５６】
［６．３］変形例３
上記実施形態においては、評価情報の内容がコンテンツデータに対して肯定的な内容であるか否かを問わず、各コンテンツデータに対する、全ての評価情報に基づいて注目度情報Ｗを算出するが、形態素解析等を用い、評価情報の内に否定的な文言が使われているか否かを判別し、否定的な内容を含む評価情報を除外して、注目度情報Ｗを算出するようにしてもよい。
【０１５７】
［６．４］変形例４
上記実施形態においては、局所度情報ＷＡ、活性化度情報ＷＢ、及び雑多度情報ＷＣの全てを上記（式４）に代入して注目度情報Ｗを算出するが、局所度情報ＷＡ、活性化度情報ＷＢ、雑多度情報ＷＣの全てを用いる必要は無く、何れか１つをもって注目度情報Ｗとしてもよいし、また、３個の値のうち、２個を用いて注目度情報Ｗを算出するようにしてもよい。
【０１５８】
［６．５］変形例５
上記実施形態においては、コンテンツデータ及び評価情報の投稿日時による差を設けていないが、投稿された日時に応じて重み付けを行うようにしてもよい。この場合、コンテンツの取得要求の受信日時から、実感的近い日時に投稿されたコンテンツデータや評価情報の重み付けを大きくして、注目度情報Ｗを算出するようにすればよい。
【０１５９】
［６．６］変形例６
上記実施形態においては、決定した注目情報のコンテンツを該当する通信端末装置１０に直接提供するようになっているが、当該コンテンツを閲覧するためのＵＲＬを提供し、通信端末装置１００における注目情報所望ユーザの操作に基づいて、当該ＵＲＬを閲覧することによって当該コンテンツを閲覧させるようにしてもよい。
【０１６０】
［６．７］変形例７
上記実施形態においては、通信端末装置１０におけるブラウジング機能によって注目情報所望ユーザにコンテンツを閲覧させるようになっているが（ＵＲＬに基づく閲覧も含む）、電子メールによって注目情報（又はそれを閲覧させるためのＵＲＬ）を提供してもよい。
【符号の説明】
【０１６１】
１  …  通信システム
１０  …  通信端末装置
３０  …  サーバ装置
１００  …  記録部
１０１  …  アプリケーション記録部
１０２  …  ＳＮＳ利用管理データ記録部
１１０  …  ネットワーク通信部
１２０  …  現在位置検出部
１３０  …  アプリケーション実行部
１４０  …  表示部
１５０  …  表示制御部
１６０  …  撮像部
１７０  …  操作部
１８０  …  端末管理制御部
３１０  …  通信制御部
３２０  …  ＲＯＭ／ＲＡＭ
３３０  …  タイマ
３４０  …  記録装置
３４１  …  ＳＮＳユーザ管理ＤＢ
３４２  …  コンテンツデータＤＢ
３４３  …  評価情報ＤＢ
３５０  …  サーバ管理制御部
３６０  …  データ処理部
３６１  …  コンテンツ登録管理部
３６２  …  コンテンツ検出部
３６３  …  注目情報決定配信部
３６５  …  局所度算出部
３６６  …  活性化度算出部
３６７  …  雑多度算出部
３６８  …  注目情報決定部
【図１】
2014038519.tif 000003
【図２】
2014038519.tif 000004
【図３】
2014038519.tif 000005
【図４】
2014038519.tif 000006
【図５】
2014038519.tif 000007
【図６】
2014038519.tif 000008
【図７】
2014038519.tif 000009
【図８】
2014038519.tif 000010
【図９】
2014038519.tif 000011
【図１０】
2014038519.tif 000012
【図１１】
2014038519.tif 000013
【図１２】
2014038519.tif 000014